(57)【要約】【課題】  バスダクトをラック上に配設する構造であっても、ラックの増設や交換がし易いラック列給電システムを提供する。【解決手段】  ラック列の左右端部に配置されたラック１の上部には、バスダクト２を吊り下げて支持するための吊り下げ部材４が起立配置される一方、バスダクト２はラック列に合わせた長さを有すると共に、バスダクト２の左右２か所には、吊り下げ部材４との間で掛け渡されるワイヤ６を連結する連結部材７が設けられ、バスダクト２はラック列の上方においてラック列に平行に配置され、適宜部位にはラック１内の電子機器に電源を供給する引き込み線をバスダクト２内の導体バー３に接続するための開口部１１が設けられている。【選択図】  図１
2019102542.tif 000002
【特許請求の範囲】
【請求項１】
電子機器を収納したラックを列設したラック列に対して、当該ラックの上方に配設されたバスダクトからラック内の電子機器に電源を供給するラック列給電システムであって、
前記ラック列の上部に設置され、前記バスダクトを吊り下げて支持する吊り下げ手段を有し、
前記バスダクトの適宜部位には、前記ラック内の電子機器に電源を供給する引き込み線を、バスダクト内の電源線に接続するための開口部が設けられて成ることを特徴とするラック列給電システム。
【請求項２】
前記吊り下げ手段は、少なくとも前記ラック列の列設方向の両端に位置するラックの上部に設けられており、
前記バスダクトは、前記吊り下げ手段によってラック列上部でラック列設方向に掛け渡されていることを特徴とする請求項１記載のラック列給電システム。
【請求項３】
前記吊り下げ手段は、前記ラックの天板上でラック前後方向に対となって起立配置した支柱部を有すると共に、
前記支柱部の上部は折り曲げられて下方に向けられ、その端部に装着したフックを有し、
前記フックに係止された紐状部材によって前記バスダクトが吊り下げられることを特徴とする請求項１又は２記載のラック列給電システム。
【請求項４】
前記吊り下げ手段は、前記ラックの天板上でラック前後方向に対となって立設した立設部と、前記立設部間に掛け渡される掛け渡し部とからなると共に、
前記掛け渡し部に懸下された懸下手段を介して前記バスダクトが吊り下げられることを特徴とする請求項１又は２記載のラック列給電システム。
【発明の詳細な説明】
【技術分野】
【０００１】
本発明は、サーバ等の電子機器を収納したラックを列設したラック列に対して電源を供給するラック列給電システムに関する。
【背景技術】
【０００２】
サーバを収納したラックが多数列設されたデータセンタ等では、電源線をダクトに収容したバスダクトをラック列に沿って配設し、バスダクトから分岐した引き込み線により各ラックに給電する配電構造が普及している。
例えば、特許文献１では、列設されたラック上において個々のラックに固定部材を配置し、この固定部材を介してバスダクトがラックに固定され、個々のラックに電源を供給している。
【先行技術文献】
【特許文献】
【０００３】
【特許文献１】特開２０１５−２１６２６２号公報
【発明の概要】
【発明が解決しようとする課題】
【０００４】
しかしながら、上記ラック上にバスダクトを固定した構造は、各ラックに連結されるため、ラックの増設や交換に対して自由度がなく、その都度バスダクトを取り外すこととなった。
【０００５】
そこで、本発明はこのような問題点に鑑み、バスダクトをラック上に配設する構造であっても、ラックの増設や交換がし易いラック列給電システムを提供することを目的としている。
【課題を解決するための手段】
【０００６】
上記課題を解決する為に、請求項１の発明は、電子機器を収納したラックを列設したラック列に対して、当該ラックの上方に配設されたバスダクトからラック内の電子機器に電源を供給するラック列給電システムであって、ラック列の上部に設置され、バスダクトを吊り下げて支持する吊り下げ手段を有し、バスダクトの適宜部位には、ラック内の電子機器に電源を供給する引き込み線を、バスダクト内の電源線に接続するための開口部が設けられて成ることを特徴とする。
この構成によれば、バスダクトはラック上で吊り下げ支持されるため、ラックを動かし易く増設や交換等がし易い。また、バスダクトの設置は吊り下げる作業で済み、ダクトの設置作業は簡易で済む。
【０００７】
請求項２の発明は、請求項１に記載の構成において、吊り下げ手段は、少なくともラック列の列設方向の両端に位置するラックの上部に設けられており、バスダクトは、吊り下げ手段によってラック列上部でラック列設方向に掛け渡されていることを特徴とする。
この構成によれば、バスダクトは、少なくとも左右２箇所が吊り下げ支持されてラック列の上方に配設されるため、安定して支持できる。
【０００８】
請求項３の発明は、請求項１又は２に記載の構成において、吊り下げ手段は、ラックの天板上でラック前後方向に対となって起立配置した支柱部を有すると共に、支柱部の上部は折り曲げられて下方に向けられ、その端部に装着したフックを有し、フックに係止された紐状部材によってバスダクトが吊り下げられることを特徴とする。
この構成によれば、バスダクトはラックの前後方向から紐状部材で吊り下げ支持されるため、安定した状態で支持できる。
【０００９】
請求項４の発明は、請求項１又は２に記載の構成において、吊り下げ手段は、ラックの天板上でラック前後方向に対となって立設した立設部と、立設部間に掛け渡される掛け渡し部とからなると共に、掛け渡し部に懸下された懸下手段を介してバスダクトが吊り下げられることを特徴とする。
この構成によれば、バスダクトはゲート状部材から吊り下げ支持されるため、安定した状態で堅牢に支持できる。
【発明の効果】
【００１０】
本発明によれば、バスダクトはラック上で吊り下げ支持されるため、ラックを動かし易く増設や交換等がし易い。また、バスダクトの設置は吊り下げる作業で済み、ダクトの設置作業は簡易で済む。
【図面の簡単な説明】
【００１１】
【図１】本発明に係るラック列給電システムの一例を示す説明図であり、ラック列の斜視図を示している。
【図２】図１のラック列の正面図である。
【図３】図１のラック列の平面図である。
【図４】図１のラック列の右側面図である。
【図５】Ａ部拡大図である。
【図６】ラック列給電システムの他の例を示す説明図であり、ラック列の斜視図を示している。
【図７】Ｂ部拡大図である。
【発明を実施するための形態】
【００１２】
以下、本発明を具体化した実施の形態を、図面を参照して詳細に説明する。図１〜４は本発明に係るラック列給電システムの一例を示すラック列の説明図であり、図１は斜視図、図２は正面図、図３は平面図、図４は右側面図である。それぞれの図において、１はサーバ等の電子機器を収納するラック、２はバスダクト、４はバスダクト２を吊り下げて支持する吊り下げ部材（吊り下げ手段）、５はラック１の中への引き込み線（図示せず）をバスダクト２に接続する際に使用される分岐ボックス、６は吊り下げ部材４とバスダクト２との間に掛け渡されているワイヤである。ここでは、ラック列が４つのラック１を列設して形成されている状態を示している。
【００１３】
ラック１は、前面及び背面にそれぞれ扉（前面扉１ａ，背面扉１ｂ）を備え、前後から開閉可能に構成されている。また天板１ｃ、左右側板１ｄを備えてラック１は個々に閉塞できるよう構成されている。そして、天板１ｃにはバスダクト２から電源を引き込むための引き込み口１１が開口形成されている。
尚、ラック１に収納されている電子機器に接続される通信線等は、ラック１の底部に設けられている開口部（図示せず）から導入される。
【００１４】
バスダクト２は、金属製の四角形筒体から成るダクト２ａに、電源線としての複数の導体バー３を収容して構成され、ラック列全体の幅に合わせた長さを有している。図１ではラック１の幅の４倍の長さを有して４つのラック１を列設した幅と等しい長さとなっている。導体バー３は、帯状の金属板から成り、幅方向が縦向きに配置されて前後方向に重なるように複数の導体バー３がダクト２ａに収容されている。
尚、各導体バー３は、適宜部位が絶縁部材により支持されているし、製造時のダクト２ａの長さは任意であり、列設されたラック１の全体の幅より短ければ連結すれば良い。
【００１５】
図５はＡ部の拡大図を示し、この図５に示すようにバスダクト２の上面にはラック１内に導入される引き込み線を接続するための開口部２２が設けられている。ただし、開口部２２は埃等が入らないように閉塞部材２３で閉塞されている。この閉塞部材２３は、分岐ボックス５の導体バー３への接続操作により、分岐ボックス５の端子部（図示せず）の押圧により閉塞部材２３が開扉し、ダクト２ａ内の導体バー３との接続が可能となる。
尚、バスダクト２の一方の端部は、天井等から配設された電源線の接続に使用されるし、使用しない他方の端部は、エンドキャップ等で施蓋される。
【００１６】
吊り下げ部材４は、図５に示すように上部がＵ字状に折り曲げられて下方に向けられた支柱部４ａと、この支柱部４ａの先端に取り付けられたフック４ｂとから成り、支柱部４ａの基部はラック１の天板１ｃに固定されている。
具体的に、ラック１の天板１ｃの裏面となるラック１内に補強部材（図示せず）が配置され、補強部材を介して支柱部４ａの基端部がボルト等で固着され、支柱部４ａが起立配置される。こうしてラック列の左右に２本ずつ、計４本の吊り下げ部材４が取り付けられ、天板１ｃの前後位置に配置された吊り下げ部材４は互いに向き合わせて配置されている。
【００１７】
吊り下げ部材４に対応するバスダクト２の吊り下げ位置には、ワイヤ６を取り付けるための連結部材７が取り付けられている。連結部材７は、図５に示すようにダクト２ａを上下から把持する２枚の把持片７ａ，７ｂにより構成され、上側の把持片７ａの両端にワイヤ６を挿通して連結するための孔７ｃが穿設されている。
この孔７ｃと吊り下げ部材４のフック４ｂとの間にワイヤ６が掛け渡され、バスダクト２は空中に配置される。尚、ここでは２枚の把持片７ａ，７ｂは同一の部材が使用されている。
【００１８】
分岐ボックス５は、内部に分岐ブレーカ（図示せず）が組み込まれており、下部にバスダクト２の導体バー３に接続するための接続部５ａ（図４に示す）を有し、側部に引き込み線を接続するための端子５ｂを有している。この分岐ボックス５のバスダクト２への装着操作により、下方に突設された接続部５ａが導体バー３に接続され、端子５ｂに接続された引き込み線が導体バー３に接続される。
【００１９】
このように、バスダクト２はラック１上で吊り下げ支持されるため、ラック１を動かし易く増設や交換等がし易い。また、バスダクト２の設置は吊り下げる作業で済み、バスダクト２の設置作業は簡易で済む。
更に、バスダクト２は、左右２箇所が吊り下げ支持されてラック列の上方に配設されるため、安定して支持できるし、バスダクト２はラック１の前後方向からワイヤ６で吊り下げ支持されるため、安定した状態で支持できる。
尚、バスダクト２をワイヤ６で吊り下げているが、これに限定されるもので無く、堅牢な紐状部材であれば他の部材が使用できる。
【００２０】
図６，７はラック列給電システムの他の例を示し、図６はラック列の斜視図、図７はＢ部拡大図である。上記実施形態とはバスダクト２を吊り下げる構造が異なり、以下相違点を説明する。尚、上記形態と共通する構成要素には同一の符号を付与して説明を省略する。
ラック列の左右端部に配置されたラック１の天板１ｃ上には、天板１ｃから立設した立設部１４ａと立設部１４ａ間に掛け渡した水平な掛け渡し部１４ｂとから成るコ字状に形成されたゲート状部材（吊り下げ手段）１４が設けられ、このゲート部材１４にバスダクト２が懸下されている。
【００２１】
具体的に、立設部１４ａと掛け渡し部１４ｂから成るコ字状に形成されたゲート状部材１４は、金属棒を溶接して形成され、上記形態の支柱部４ａと同様に天板１ｃにボルト等で固着し、ラック列上でラック列方向である左右から対向するように起立配置されている。そして、このゲート状部材１４の水平な掛け渡し部にバスダクト２の幅に合わせて縦穴が穿設され、棒片であるボルト１６を挿通して垂下させている。
こうして垂下させたボルト１６の下端に、上記形態と同様にバスダクト２を挟んでいる２枚の把持片７ａ，７ｂから成る連結部材７を連結してゲート状部材１４から吊り下げてバスダクト２が配置されている。
【００２２】
このように、バスダクト２はゲート状部材１４から吊り下げ支持されるため、安定した状態で堅牢に支持できる。
【００２３】
尚、上記実施形態では、バスダクト２の前後２カ所（ラック列の左右２カ所）を吊り下げ手段４で支持しているが、吊り下げる部位はバスダクト２の左右２カ所に加えて、中間位置等他の部位も加えて支持しても良い。
また、分岐ボックス５を装着する部位をバスダクト２の上面としたが、ダクト２ａの下面に開口部１１を形成して下面に装着しても良い。
更に、ゲート状部材１４に垂下させる形態は、ゲート状部材１４とバスダクトの間に空間を設けているが、ゲート状部材１４とバスダクト２を密着させても良い。
【符号の説明】
【００２４】
１・・ラック、２・・バスダクト、２ａ・・ダクト、３・・導体バー（電源線）、４・・吊り下げ部材（吊り下げ手段）、４ａ・・支柱部、４ｂ・・フック、５・・分岐ボックス、６・・ワイヤ（紐状部材）、７・・連結部材、１１・・開口部、１４・・ゲート状部材（吊り下げ手段）、１６・・棒片（懸下手段）。
【図１】
2019102542.tif 000003
【図２】
2019102542.tif 000004
【図３】
2019102542.tif 000005
【図４】
2019102542.tif 000006
【図５】
2019102542.tif 000007
【図６】
2019102542.tif 000008
【図７】
2019102542.tif 000009